(57)【要約】【課題】、発電量を増加させると共に、受光面の温度上昇を押さえて出力電圧の低下を防止する曲面状反射板を備えた球状太陽電池回転体の提供。【解決手段】本発明の曲面状反射板を備えた球状太陽電池回転体は、球の表面の一部に太陽電池を有する球状体であって、該球状体の表面から球状体の中心を通る軸線上の表面に回転軸を有し、更に該球状体の少なくとも一部を覆う曲面状反射板を有し、前記球状体の軸は、モーターの軸に結合して回転し、前記モーターは、支持部材によって支持されており、更に前記曲面状反射板は、支持部材によって支持されている【選択図】  図１
2011181540.tif 000002
【特許請求の範囲】
【請求項１】
球の表面の一部に太陽電池を有する球状体であって、該球状体の表面から球状体の中心を通る軸線上の表面に回転軸を有し、更に該球状体の少なくとも一部を覆う曲面状反射板を有することを特徴とする曲面状反射板を備えた球状太陽電池回転体。
【請求項２】
前記球状体の軸は、モーターの軸に結合して回転することを特徴とする請求項１に記載の曲面状反射板を備えた球状太陽電池回転体。
【請求項３】
前記モーターは、曲面状反射板に取り付けられていることを特徴とする請求項１に記載の曲面状反射板を備えた球状太陽電池回転体。
【請求項４】
前記曲面状反射板は、支持部材によって支持されていることを特徴とする請求項１に記載の曲面状反射板を備えた球状太陽電池回転体。
【発明の詳細な説明】
【技術分野】
【０００１】
本発明は、曲面状反射板を備えた球状太陽電池回転体に関するものであり、更に詳しくは太陽光が当たる面積を増大させて発電量を多くしかつ受光面の温度が上昇しない曲面状反射板を備えた球状太陽電池回転体に関するものである。
【背景技術】
【０００２】
近年、炭酸ガスを排出しない地球環境に悪影響を及ぼさない発電として太陽電池を利用した発電システムが開発されている。太陽電池、即ち太陽光を電気に変換する太陽光パネルとしては、従来知られており、透明電極としての平板と金属板との間に単結晶シリコン、多結晶シリコン、アモルファスシリコン等の光−電気変換素子を挟んだもので、これらの素子のマイナス極とプラス極を直列又は並列に配線したものである。このような太陽電池パネルは、屋根上に配置し、又は太陽電池パネルと一体化した屋根材とし（例えば、特許文献１参照）、また家屋の屋根上又はビルの屋上などに設置される平板状又は円板状に形成した太陽電池が常に太陽の方向を向くようにモーターなどのよって駆動されるように構成されている追尾型太陽光発電装置が開示されている（例えば、特許文献２参照）。
【先行技術文献】
【特許文献】
【０００３】
【特許文献１】特開平２００５−２６４４８３号公報（段落０００５）
【特許文献２】特開２００５−３１７７５６号公報（段落０００３）
【発明の概要】
【発明が解決しようとする課題】
【０００４】
しかしながら、特許文献１に記載の屋根材と一体化した太陽電池パネルは、受光面の温度が上昇して発電量が低下するという問題があり、また特許文献２に記載された追尾型太陽光発電装置にあっては、常に太陽光の方向へ受光面が向いているため温度上昇が著しく、それを防止するために太陽電池モジュールの裏面と熱伝導性を有する支持板とが面接触するようにしているが、今一つ十分ではないという問題がある。そこで、本発明者は、太陽電池を球形にしてその周囲に曲面状反射板を設置することにより発電量を増加させると共に、前記球状太陽電池を回転させ、一つの受光面に太陽光が長時間当たらないようにすることにより受光面の温度上昇を押さて出力電圧の低下を防止するという格別優れた効果を奏するものであることを見出し、この知見に基づいて本発明はなされたものである。
【０００５】
したがって、本発明が解決しようとする課題は、発電量を増加させると共に、受光面の温度上昇を押さえて出力電圧の低下を防止する曲面状反射板を備えた球状太陽電池回転体を提供することにある。
【課題を解決するための手段】
【０００６】
本発明の上記課題は、以下の各発明によってそれぞれ達成される。
（１）球の表面の一部に太陽電池を有する球状体であって、該球状体の表面から球状体の中心を通る軸線上の表面に回転軸を有し、更に該球状体の少なくとも一部を覆う曲面状反射板を有することを特徴とする曲面状反射板を備えた球状太陽電池回転体。
（２）前記球状体の軸は、モーターの軸に結合して回転することを特徴とする前記（１）の項に記載の曲面状反射板を備えた球状太陽電池回転体。
（３）前記モーターは、曲面状反射板に取り付けられていることを特徴とする前記（１）の項に記載の曲面状反射板を備えた球状太陽電池回転体。
（４）前記曲面状反射板は、支持部材によって支持されていることを特徴とする前記（１）の項に記載の曲面状反射板を備えた球状太陽電池回転体。
【発明の効果】
【０００７】
本発明の前記（１）に記載の曲面状反射板を備えた球状太陽電池回転体は、球の表面の一部に太陽電池を有する球状体であって、該球状体の表面から球状体の中心を通る軸線上の表面に回転軸を有し、更に該球状体の少なくとも一部を覆う曲面状反射板を有することからなり、曲面状反射板を設けることにより、発電量を増加させると共に、球状太陽電池回転体を回転させることによって受光面の温度上昇を押さえて出力電圧の低下を防止するという優れた効果を奏するものである。
【０００８】
本発明の前記（２）に記載の曲面状反射板を備えた球状太陽電池回転体は、前記球状体の軸が、モーターの軸に結合して回転することにより、受光面の温度上昇を押さえて出力電圧の低下を防止するという優れた効果を奏するものである。
【０００９】
本発明の前記（３）に記載の曲面状反射板を備えた球状太陽電池回転体は、前記モーターが、曲面状反射板に取り付けられていることにより、球状太陽電池回転体を確実に簡単に固定することができるという優れた効果を奏するものである。
【００１０】
本発明の前記（４）に記載の曲面状反射板を備えた球状太陽電池回転体は、前記曲面状反射板が、支持部材によって支持されていることにより、曲面状反射板を確実に固定することができるという優れた効果を奏するものである。
【図面の簡単な説明】
【００１１】
【図１】本発明の曲面状反射板を備えた球状太陽電池回転体の断面図である。
【発明を実施するための形態】
【００１２】
以下、本発明について図面を用いて具体的に説明するが、本発明は、以下に説明する具体的事例に限定されるものではない。本発明に用いられる球状太陽電池回転体（又は球状太陽電池パネル回転体ともいう。）７は、球の表面の一部に太陽電池を有する球状体であって、該球状体の表面から球状体の中心を通る軸線上の表面に回転軸を有し、更に該球状体の少なくとも一部を覆う曲面状反射板を有することを基本的特徴とするものである。
【００１３】
図１は、本発明の曲面状反射板を備えた球状太陽電池回転体を示す断面図であり、図１において、球状回転体２は、その表面に太陽電池１が一部又は前面に渡って設けられて、球状太陽電池回転体７を構成している。また球状回転体２は、骨組みで構成しても板状体で表面に隙間のないように構成してもよい。ま球状回転体２の材質を熱伝導性のよい金属で構成することによって放熱効果を向上させることができるので好ましい。一方、球状太陽電池回転体７の形状は、球体について説明したが、これに限定されるものではなく、楕円球、円筒形等が好ましいが、受光面積が大きくなるような形状であれば特に限定されない。また受光面は、平面であっても、波形であってもよい。更に球状回転体２の中心を通る軸線の方向に回転軸４を両側に有し、これらの回転軸４の両端には、曲面状反射板３の両縁で回転可能に固定されている。更にその一方の回転軸４には、モーター５が接続されている。
【００１４】
モーター５の回転数を減らすにはギアを用いてもよい。もちろん、モーター５は、曲面状反射板３に取付具(図示せず)によって固定されている。この曲面状反射板３の表面は、太陽光を反射し易いように光沢のある表面を形成することによって得られるが、このような反射板自体は知られているので、市販の反射板を購入してもよい。また曲面状反射板３の形状は、半円球状、円錐筒、円錐台形状筒等のいずれでもよい。球状太陽電池回転体７を有する曲面状反射板３は、支持部材６に固定され、さらに底部を所望の場所に取付具、例えばボルト等によって取り付けることができる。本発明の曲面状反射板を備えた球状太陽電池回転体において、球状太陽電池回転体７の回転数は、特に限定されないが、停止状態から６回／時間がよく、好ましくは1回／時間〜４回／時間がよい。また曇りから薄日のように太陽光が比較的弱いときには、時間当たりの回転数を少なくすることが好ましい。本発明の曲面状反射板を備えた球状太陽電池回転体は、日照時間の長いところにおくことが好ましく、例えば、屋根の上、ビルの屋上、ビルの壁、庭などの平地でもよい。
【００１５】
また本発明の曲面状反射板を備えた球状太陽電池回転体は、該回転体の軸を太陽光に対し平行に配置してもよく、また太陽光に対し９０度までの角度で配置してもよい。好ましくは太陽光が前記回転体に十分当たる角度がよいことは明らかである。このように前記回転体を回転させまた適宜の角度に配置することにより温度上昇による太陽電池パネルの電圧低下を防止することができ、また十分な太陽光を受光することができるという格別優れた効果を奏するものである。
【産業上の利用可能性】
【００１６】
本発明の曲面状反射板を備えた球状太陽電池回転体７は、曲面状反射板を備えているので、受光面積を多くとることができ、また太陽電池を回転させることによって、受光面の温度上昇を抑えて電圧降下を防止するという優れた効果を奏するものであるので、地球環境に好ましい発電装置として今後ますます注目され、極めて高い産業上の利用性を有している。
【符号の説明】
【００１７】
１  太陽電池
２  球状回転体
３  曲面状反射板
４  回転軸
５  モーター
６  支持部材
７  球状太陽電池回転体
【図１】
2011181540.tif 000003